(57)【特許請求の範囲】
【請求項１】
芳香剤収納容器と、該容器に取着され拡散カバー体と揮散板支持部材と芳香揮散板とを具備した芳香放散用具とからなる芳香放散器であって、
前記拡散カバー体は、楕円形の筒壁体と、該筒壁体に蝶番機構を介して取着された開閉蓋とからなり、
前記筒壁体は、楕円形の長径側周壁に設けた切欠部に蝶番機構の軸受部を立設し、周壁内周には、保持筒と該保持筒を支持する複数の支持杆とからなる揮散板支持部材を一体成形により架設し、筒壁体の前後面周壁の上部と下部に芳香拡散孔を配設しており、
前記開閉蓋は、頂壁と筒壁体の上端周壁に嵌合される側周壁とからなり、前記軸受部に対応して、該軸受部に軸支される軸ピンを架設した一対の突起片を設け、頂壁には芳香拡散孔を配設しており、
前記芳香揮散板は、揮散板支持部材に上下動可能として載置され、開閉蓋を開蓋することによって、芳香揮散板の挿入、取出しを可能としたことを特徴とする芳香放散器。
【発明の詳細な説明】
【０００１】
【発明の属する技術分野】
本発明は、芳香放散器、とくに芳香剤収納容器と該収納容器に取着された芳香放散用具とからなる芳香放散器に関する。
【０００２】
【従来の技術】
吸液芯を取り付けた中栓の上面に芳香揮散板を取り付け、上面に多数の開口を設けた芳香放散用具を被せ、芳香揮散板の表面より芳香揮散板に吸い上げられた芳香剤を揮発放散させるようにした芳香放散器、例えば図６に示すような芳香放散器は従来より知られている。
【０００３】
図６において、Ａａは芳香剤収納容器、Ｂａは芳香放散用具であり、収納容器Ａａには吸液芯ａを取着した中栓ｂが嵌着されており、芳香放散用具Ｂａは、拡散カバー体ｃの揮散板支持部材ｄに、下面が吸液芯ａに接合するように芳香揮散板ｅを装着し、芳香放散用具Ｂａの上面に設けた芳香拡散孔ｆから、芳香を大気中に拡散するようにしている。
【０００４】
【発明が解決しようとする課題】
しかしながら、従来の芳香放散用具Ｂａは、その組立作業にあたって、芳香揮散板ｅを拡散カバー体ｃ内に入れた後、揮散板支持部材ｄを拡散カバー体ｃに取着しなければならなかった。
また、使用開始後に、芳香揮散板ｅを取り換えるためには、芳香放散用具Ｂａを芳香剤収納容器Ａａから取り外し、さらに、揮散板支持部材ｄを拡散カバー本体ｃから外さなければならなかった。
そのため、芳香揮散板ｅの取り換えが簡単にできないという問題があった。
【０００５】
また、上記芳香放散用具Ｂａは、芳香拡散孔ｆが拡散カバー体ｃの頂壁と側壁上部に設けられており、芳香揮散板ｅの上面から揮散した芳香は、芳香拡散孔ｆから放散されるが、芳香揮散板ｅの下面から揮散した芳香は、主として内部に充満し、放散効率がよくないという問題があった。
また、吸液芯ａの上端を芳香揮散板ｅの下面に正確に接触させなければならず、中栓ｂ、とくに吸液芯ａの支持部と、芳香放散用具Ｂａの揮散板支持部材ｄの取付位置を正確に合致させなければならないという問題があった。
【０００６】
本発明は、上記の問題点を解決することを課題として、芳香放散用具の拡散カバー体の上面を開閉蓋とし、開閉蓋とともに拡散カバー体の側周壁の下方部まで芳香拡散孔を配設し、芳香揮散板の上面、下面から揮散した芳香を拡散カバー体の上面、側面から大気中に拡散するようにするとともに、芳香揮散板の装着、交換が、簡単にできるようにした芳香放散器を提供することを目的とする。
【０００７】
【課題を解決するための手段】
本発明は、上記の課題を解決するため、芳香放散器として、芳香剤収納容器と、該容器に取着され拡散カバー体と揮散板支持部材と芳香揮散板とを具備した芳香放散用具とからなる芳香放散器であって、前記拡散カバー体は、楕円形の筒壁体と、該筒壁体に蝶番機構を介して取着された開閉蓋とからなり、前記筒壁体は、楕円形の長径側周壁に設けた切欠部に蝶番機構の軸受部を立設し、周壁内周には、保持筒と該保持筒を支持する複数の支持杆とからなる揮散板支持部材を一体成形により架設し、筒壁体の前後面周壁の上部と下部に芳香拡散孔を配設しており、前記開閉蓋は、頂壁と筒壁体の上端周壁に嵌合される側周壁とからなり、前記軸受部に対応して、該軸受部に軸支される軸ピンを架設した一対の突起片を設け、頂壁には芳香拡散孔を配設しており、前記芳香揮散板は、揮散板支持部材に上下動可能として載置され、開閉蓋を開蓋することによって、芳香揮散板の挿入、取出しを可能としたことを特徴とする構成を採用する。
【０００８】
【発明の実施の形態】
次に、本発明の実施形態について、図面を参照して説明する。
図１において、Ａは芳香剤収納容器、Ｂは芳香放散用具である。
収納容器Ａは容器本体１と中栓２、該中栓２に装着された吸液芯３とキャップ４とを具えており、収納容器Ａの内容液として、揮発性の芳香剤、消臭剤が収納されている。
【０００９】
図１〜２に示すように、容器本体１は、外周にねじ５を螺設した口部６、断面楕円形の肩部７と胴部８および底部９とからなり、胴部８の上端には、環状凹部１０が設けられ、底部９の底壁９ａは、ほぼ水平に形成され、中央部で交差する細巾の十字路１１を挟んで４つの隆起部１２が形成されている。
【００１０】
中栓２は、口部６上面を被う上壁１３と、上壁１３より垂下され、口部６内周を嵌合する嵌着筒１４と、上壁１３内周縁に垂設された吸液芯３を保持する保持筒１５とを具えている。
保持筒１５は、上部の円筒部１６と、中間部のロート状の円錐部１７、該円錐部１７の下端より垂下する長尺の吸液芯の保持パイプ１８とからなっており、円錐部１７には、通気孔１９が穿設されている。
【００１１】
吸液芯３は、前記保持パイプ１８に嵌挿され、その上端３ａは、中栓２の上面より突出している。
中栓の取付に当たって、吸液芯３の下端３ｂは、容器底部９の底壁９ａ中央面上に載置される。
【００１２】
使用時には、底部９周辺の内容液は、十字路１１を通じて吸液芯３に引き寄せられ内容液を最後まで吸い上げられる。
また、使用中に容器を傾け内容液が移動しても、吸液芯３の下端は隆起部１２によって妄動が防止され、常に底壁９ａの十字路１１中央部に維持される。
【００１３】
キャップ４は、中栓２の上面に接合する環状の上壁２０と、上壁２０外周縁に垂設され、内周にねじ２１を螺設した嵌着筒２２と、内周縁から上下に延びる側筒壁２３と、頂壁２４とを具えている。
側筒壁２３の下部外周は、中栓２の円筒部１６内周に嵌挿され、頂壁２４は、中栓の上壁１３より突出した吸液芯３の上端３ａより高く位置している
【００１４】
図１，３，４に示すように、芳香放散用具Ｂは、拡散カバー体３０と、該拡散カバー体３０の中側に設けられた揮散板支持部材３１と芳香揮散板３２とを具えている。
【００１５】
拡散カバー体３０は、楕円筒状の筒壁体３３と、該筒壁体３３に蝶番機構を介して取着された開閉蓋３４とからなっている。
筒壁体３３の側周壁は、上段の厚肉部３５と、中段の中間部３６と下段の薄肉部３７とからなっており、厚肉部３５の上端には、薄肉の段差周壁３８が設けられている。
【００１６】
該段差周壁３８の長径側の周縁には、切欠け３９が設けられ、該切欠け３９の中央部には蝶番機構を構成する軸受部４０が立設されている。
軸受部４０の反対側の周縁には、一定長の係止突条４１が設けられ、その下方の厚肉部３５には凹み４２が設けられている。
軸受部４０には、スリット４３が穿設され、深さ方向の中央部には、軸受孔４４が穿孔されている。
【００１７】
筒壁体３３の内周には、厚肉部３５の下端部から内方に延びる複数本の支持杆４５が配設されており、それらの支持杆４５によって上端に複数個の切欠け４６を設けた保持筒４７が支持されている。
上記支持杆４５と保持筒４７によって、筒壁体３３と一体成形された揮散板支持部材３１が構成されている。
【００１８】
筒壁体３３の厚肉部３５と中間部３６のそれぞれの前後面には、芳香拡散孔４８，４９が穿孔されており、該芳香拡散孔４８，４９は、縦方向に延びる長孔状の模様に形成されている。
薄肉部３７の下端内周には、収納容器Ａの胴部８の環状凹部１０に係合する複数個の膨出突条５０が突設されている。
【００１９】
図５に示すように、開閉蓋３４は、楕円形の頂壁５１と、前記筒壁体３３の段差周壁３８に係合する側周壁５２とからなっている。
頂壁５１の長径側の周辺部には、軸受部４０を遊嵌する切欠け５３が設けられ、切欠け５３に接して両側に軸受部４０を挟むよう突起片５４ａ，ｂが垂設され、双方の突起片５４ａ，ｂによって、前記筒壁体３３の軸受部４０の軸受孔４４に嵌挿される軸ピン５５が軸支されている。
切欠け５３の反対側の側周壁５２内周には、係止突条４１が嵌入する係止溝５６が設けられている。
【００２０】
頂壁５１には、芳香拡散孔５７が穿孔されており、該芳香拡散孔５７は、半円状の開口５７ａ、放射状に並列された多数の長孔５７ｂ等によって左右対称的に所定の模様を形成するように配設されている。
【００２１】
芳香揮散板３２は、図１に示すように、拡散カバー体３０と相似形にその内周より小さく形成され、揮散板支持部材３１の保持筒４７上面に載置されるが、吸液芯３の上端３ａによって揮散板支持部材３１の上面より浮き上がり、開閉蓋３４と揮散板支持部材３１の保持筒４７との間で上下動可能になっている。
【００２２】
次に、本芳香放散用具の使用態様と作用効果について説明する。
芳香揮散板３２の芳香放散用具Ｂへの装着にあたっては、開閉蓋３４を開蓋して、芳香揮散板３２を揮散板支持部材３１に載置し、その後に閉蓋するだけであるので、工場での芳香放散用具Ｂのセット作業がきわめて容易に行われる。
セット作業の完了した芳香放散用具Ｂは、別途内容液を充填し、キャップ４を被嵌された収納容器Ａとともに出荷される。
【００２３】
芳香放散器の使用にあたっては、収納容器Ａのキャップ４を取り外して、芳香放散用具Ｂを肩部７に被せると、筒壁体３３の側周壁下端の膨出突条５０が収納容器Ａの環状凹部１０に係合して、芳香放散用具Ｂが収納容器Ａに取着される。
その際、揮散板支持部材３１の保持筒４７上端は、中栓２の上端とほぼ一致するようになっているが、吸液芯３の上端３ａは中栓２上端より突出しているので、芳香揮散板３２は上方に押し上げられ、保持筒４７より上昇した位置に保持されることになる。
【００２４】
芳香揮散板３２の周面と筒壁体３３の側周壁との間には間隙ができるので、芳香揮散板３２の上面と周面、下面のほとんどの面で芳香剤が揮発放散し、芳香は、筒壁体３３の上下に設けられた芳香拡散孔４８，４９および開閉蓋３４の頂壁５１に設けられた芳香拡散孔５７から拡散される。
したがって、拡散カバー体３０からの拡散もその上面と側面の上下、それも筒壁体３３の側周壁の下方に設けられた芳香拡散孔４９からも放散されるので、揮発拡散面積が広くなり、芳香剤の放散量を多くすることができる。
【００２５】
使用中に芳香揮散板の揮散効果の低下、芳香剤の交換などにより芳香揮散板３２を取り換える場合には、開閉蓋３４を開いて芳香放散用具Ｂを取着した収納容器Ａを倒立させるだけで芳香揮散板３２を取り出すことができ、装着も容易であるので、芳香揮散板の交換も簡単にできるようになっている。
【００２６】
収納容器Ａの底壁９ａは、ほぼ水平に形成されており、中央部で交差する細巾の十字路１１を挟んで４つの隆起部１２が形成されているから、吸液芯３の下端３ｂを底壁９ａの十字路１１中央部に載置し、その状態を常に維持することができるので、底部９周辺の内容液が十字路１１を通じて引き寄せられ、すべての内容液を吸上げることができる。
【００２７】
【発明の効果】
本発明は、上記のように構成されているから、次の効果を奏する。
拡散カバー体の筒壁体と揮散板支持部材とを一体成形し、該筒壁体に蝶番機構を介して開閉蓋を取着しているから、芳香揮散板の芳香放散用具への装着、取り出しが、筒壁体の開閉蓋を開閉するだけで可能となり、工場でのセット作業、芳香揮散板の取り換え作業が容易にできるようになった。
【００２８】
芳香揮散板と拡散カバー体内周との間に間隙を形成して上下動可能とし、吸液芯上端を中栓より突出させ、芳香揮散板を浮き上がらせるようにしたから、芳香揮散板のほとんど全面から芳香剤を揮発放散させることができ、さらにまた、拡散カバー体の上面と側周面、とくに筒壁体の側周壁の下方部にも芳香拡散孔を設けたから、多量の芳香剤を放散させることができるようになった。
【図面の簡単な説明】
【図１】本発明の芳香放散器の一部断面正面図である。
【図２】収納容器の一部断面正面図である。
【図３】開閉蓋を開蓋した状態の芳香放散用具の一部断面正面図である。
【図４】筒壁体の説明図で、（ａ）は上面図、（ｂ）は断面正面図である。
【図５】開閉蓋の説明図で、（ａ）は断面正面図、（ｂ）は底面図である。
【図６】  従来の芳香剤放散器の説明図である。
【符号の説明】
Ａ、Ａａ    収納容器
Ｂ、Ｂａ    芳香放散用具
１          容器本体
２、ｂ      中栓
３、ａ      吸液芯
４          キャップ
３０、ｃ    拡散カバー体
３１、ｄ    揮散板支持部材
３２、ｅ    芳香揮散板
３３        筒壁体
３４        開閉蓋
３５        厚肉部
３６        中間部
３８        段差周壁
３９、５３  切欠け
４０        軸受部
４１        係止突条
４３        スリット
４４        軸受孔
４５        支持杆
４７        保持筒
４８、４９、５７、ｆ  芳香拡散孔
５１        頂壁
５４ａ，ｂ  突起片
５５        軸ピン
５６        係止溝
【図１】
0004354078.tif 000002
【図２】
0004354078.tif 000003
【図３】
0004354078.tif 000004
【図４】
0004354078.tif 000005
【図５】
0004354078.tif 000006
【図６】
0004354078.tif 000007